(57)【要約】【課題】ワン型排水トラップへ更生工事施工用配管が密閉状態で簡単かつ確実に接続できるワン型排水トラップ用配管接続装置及び配管接続治具を提供する。【解決手段】内筒部１１ａと外筒部１１ｂが下部で連結し上部が開口した２重円筒構造を有する本体１１と、椀形状を有し椀の開口部で内筒部１１ａの上部を塞ぐワン１２と、を少なくとも備えたワン型排水トラップ１において、ワン型排水トラップ１の下方に連結する排水管５の内壁を内筒部側より更生する工事を施工するための配管４を、継手２を介して内筒部１の外壁に接続するワン型排水トラップ用配管接続装置であって、継手２は、配管４を連結する連結部２１ａを有する継手本体２１と、この継手本体２１の下端に設けられたねじ部２１ｂと螺合することで内筒部１１ａの外壁を挟装する多角ナット２２を有する挟装構造と、を備えたことを特徴とする。【選択図】  図１
2006097401.tif 000002
【特許請求の範囲】
【請求項１】
内筒部と外筒部が下部で連結し上部が開口した２重円筒構造を有する本体と、椀形状を有し椀の開口部で前記内筒部の上部を塞ぐワンと、を少なくとも備えたワン型排水トラップにおいて、
前記ワン型排水トラップの下方に連結する排水管の内壁を前記内筒部側より更生する工事を施工するための配管を、継手を介して前記内筒部の外壁に接続するワン型排水トラップ用配管接続装置であって、
前記継手は、
上端に前記配管を連結する連結部を有する継手本体と、
この継手本体の下端に設けられたねじ部と螺合することで前記内筒部の外壁を挟装する多角ナットを有する挟装構造と、
を備えたことを特徴とするワン型排水トラップ用配管接続装置。
【請求項２】
請求項１に記載された前記挟装構造の多角ナットを回転させることで前記内筒部の外壁と螺合させ、あるいは前記内筒部の外壁から離脱させるワン型排水トラップ用配管接続治具であって、
前記治具は、
前記継手を上部より挿入する中空円筒形状を有する治具本体と、
前記治具本体の下部に設けられ、前記多角ナットの向かい合う二面及び／又は対角を係合する爪部と、
前記治具本体の上部に設けられ、前記治具本体を軸中心に回転させるハンドルと、
を備えたことを特徴とするワン型排水トラップ用配管接続治具。
【発明の詳細な説明】
【技術分野】
【０００１】
本発明は、ワン型排水トラップの下方に連結する排水管の内壁を更生する工事を施工するための配管を、ワン型排水トラップに接続する技術に関する。
【背景技術】
【０００２】
排水トラップは、目的にあわせて、Ｐ型トラップ、ワン型トラップ、封水筒型トラップなどが知られている。この中で、ワン型排水トラップは浴室などに多く用いられている。
【０００３】
ワン型排水トラップ１は、図６に示すように、内筒部１１ａと外筒部１１ｂが下部で連結し上部が開口した２重円筒構造を有する本体１１と、内筒部１１ａを塞ぐワン（椀）１２と、外筒部１１ｂを塞ぐジョイント１３、枠１４、及び目皿１７と、を備えている。なお、本体１１は、その外周に鍔部１１ｃを有する。また、ジョイント１３は、止めビス１６によりビス止めされた割りリング１５により、本体１１に挟接されている。
【０００４】
このように、ワン型排水トラップ１は、外筒部１１ｂを目皿１７で塞いで粗いゴミをトラップすると共に、内筒部１１ａと外筒部１１ｂが下部で連結し上部が開口した２重円筒構造にし、排水の流路中に封水部と呼ばれる必ず排水が貯まる部分を設け、内筒部１１ａをワン（椀）１２で塞ぐことで下流側からの臭気や害虫類が屋内側に進入することを防止する機能を備えている。
【発明の開示】
【発明が解決しようとする課題】
【０００５】
ところで、ワン型排水トラップ１から排水管の劣化を防止するために、排水管内面をライニングする等の排水管更生工事を行う場合がある。かかる場合において、従来は、図７に示すように、目皿１７及びワン（椀）１２を外した後に、内筒部１１ａにネジ接合部材４０を接続し、ネジ接合部材４０を介して排水管更生工事を行っていた。
【０００６】
しかし、排水管更生工事では、コンプレッサーの加圧空気を吹き込む加圧処理を行うため、従来では、図７に示すように、ネジ接合部材４０の一端を内筒部１１ａに差し込んでパッキンし外れないよう人力で押さえていなければならなかった。すなわち、図７に示すネジ接合部材４０は、塩ビパイプ（あるいは鋼管）４１と、その一端にこの塩ビパイプ（あるいは鋼管）４１を挿入する円筒部が設けられ他端にネジ部が設けられたバルブソケット４２と、からなっており、塩ビパイプ（あるいは鋼管）４１の一端を内筒部１１ａの上端に差し込む際、接合部にパッキン４３を設けてエアーの漏れを防止すると共に、人力でネジ接合部材４０を押さえて外れないような処置をとらなければならなかった。
【０００７】
また、ワン型排水トラップ１が封水部を設けた２重円筒構造となっているために、内筒部１１ａと外筒部１１ｂとの間が構造的に狭く、人力でネジ接合部材４０の鋼管（あるいは塩ビパイプ）４１を内筒部１１ａ側に十分に押さえることが難しく、密閉状態で加圧処理を行う排水管更生工事が施工しにくかった。
【０００８】
以上から、本発明は、前記課題に鑑みてなされたものであり、排水トラップへ更生工事施工用配管が密閉状態で簡単かつ確実に接続できるワン型排水トラップ用配管接続装置及び配管接続治具を提供することを技術的課題とする。
【課題を解決するための手段】
【０００９】
本発明は、ワン型排水トラップ用配管接続装置及び配管接続治具であり、前述の技術的
課題を解決するために以下のように構成されている。
すなわち、本発明のワン型排水トラップ用配管接続装置は、
内筒部と外筒部が下部で連結し上部が開口した２重円筒構造を有する本体と、椀形状を有し椀の開口部で前記内筒部の上部を塞ぐワンと、を少なくとも備えたワン型排水トラップにおいて、
前記ワン型排水トラップの下方に連結する排水管の内壁を前記内筒部側より更生する工事を施工するための配管を、継手を介して前記内筒部の外壁に接続するワン型排水トラップ用配管接続装置であって、
前記継手は、
上端に前記配管を連結する連結部を有する継手本体と、
この継手本体の下端に設けられたねじ部と螺合することで前記内筒部の外壁を挟装する多角ナットを有する挟装構造と、
を備えたことを特徴とする。
【００１０】
また、本発明のワン型排水トラップ用配管接続治具は、
前記挟装構造の多角ナットを回転させることで前記内筒部の外壁と螺合させ、あるいは前記内筒部の外壁から離脱させるワン型排水トラップ用配管接続治具であって、
前記治具は、
前記継手を上部より挿入する中空円筒形状を有する治具本体と、
前記治具本体の下部に設けられ、前記多角ナットの向かい合う二面及び／又は対角を係合する爪部と、
前記治具本体の上部に設けられ、前記治具本体を軸中心に回転させるハンドルと、
を備えたことを特徴とする。
【発明の効果】
【００１１】
本発明のワン型排水トラップ用配管接続装置によれば、継手を内筒部に差し込み、継手下部に設けられた多角ナットを螺合することで、内筒部の外壁を挟装でき、連結部により更生工事施工用の配管を継手に連結できる。
【００１２】
また、本発明のワン型排水トラップ用配管接続治具によれば、内筒部と外筒部との狭い空間の中で、爪部により多角ナットを確実に把持でき、ハンドルを用いて治具本体を軸中心に回転させることで、多角ナットを容易に回転させることができる。
【００１３】
従って、本発明は、ワン型排水トラップへ更生工事施工用配管が密閉状態で簡単かつ確実に接続できるワン型排水トラップ用配管接続装置及び配管接続治具を提供することができる。
【発明を実施するための最良の形態】
【００１４】
以下、本発明に係るワン型排水トラップ用配管接続装置及び配管接続治具の最良の実施の形態について、図面を参照して詳細に説明する。なお、この実施の形態で説明するワン型排水トラップは、浴室などに多く用いられている排水トラップである。
【００１５】
［ワン型排水トラップの説明］
まず、この実施の形態のワン型排水トラップの構造を説明する。
すなわち、ワン型排水トラップ１は、図６に示すように、内筒部１１ａと外筒部１１ｂが下部で連結し上部が開口した２重円筒構造を有する本体１１と、内筒部１１ａを塞ぐワン（椀）１２と、外筒部１１ｂを塞ぐジョイント１３、枠１４、及び目皿１７と、を備えている。なお、本体１１は、その外周に鍔部１１ｃを有する。また、ジョイント１３は、止めビス１６によりビス止めされた割りリング１５により、本体１１に挟接されている。
【００１６】
このように、ワン型排水トラップ１は、外筒部１１ｂを目皿１７で塞いで粗いゴミをトラップすると共に、内筒部１１ａと外筒部１１ｂが下部で連結し上部が開口した２重円筒構造にし、排水の流路中に封水部と呼ばれる必ず排水が貯まる部分を設け、内筒部１１ａをワン（椀）１２で塞ぐことで下流側からの臭気や害虫類が屋内側に進入することを防止する機能を備えている。
【００１７】
［排水トラップ用配管接続装置の説明］
次に、この実施の形態の排水トラップ用配管接続装置を説明する。
すなわち、排水トラップ用配管接続装置は、図１に示すように、ワン型排水トラップ１の下方に連結する排水管５の内壁を内筒部１１ａ（この径は、排水管５のサイズに対応している）側より更生する工事を施工するための配管４を、継手２を介して内筒部１１ａの外壁に接続する装置である。なお、配管４は、継手２と連結するカップリング部４ａと、例えば可撓性を有するホース部４ｂと、から構成されたホース配管（以下、配管４をホース配管４という）である。
【００１８】
継手２は、上端にホース配管４を連結する連結部２１ａを有する継手本体２１と、この継手本体２１の下端に設けられたねじ部２１ｂと螺合することで内筒部１１ａの外壁を挟装する多角ナット２２を有する挟装構造と、を備えている。
【００１９】
なお、この実施の形態において、継手２は、片ＬＡ継手として知られている鋼管用おすアダプターを用いる。なお、片ＬＡ継手は、配管にねじ接合する部分がおねじのもの（ＡＰ型）、めねじのもの（ＡＱ型）があるが、何れも使用可能である。
【００２０】
この継手２は、図２（ｂ）に示すように、段付円柱形状の継手本体（材質：FCMB270）２１と、多角ナット（八角ナット，材質：FCMB270）２２と、ロックリング（材質：STPG相当）２３と、リング状のパッキン（材質：NBR）２４と、ワッシャ（材質：SPCC）２５と、を備えている。
【００２１】
継手本体２１は、上端にホース配管４のカップリング部４ａと連結する連結部２１ａを有しており、この連結部２１ａは、この実施の形態ではおすねじである。また、継手本体２１は、下端に八角ナット２２と螺合するねじ部２１ｂが設けられている。
【００２２】
この実施の形態では、多角ナットを、図２（ａ）の上面図及び図２（ｃ）の下面図に示すように、八角ナット２２として説明するが、本発明の多角ナットは八角ナット２２に限定されるものではなく、六角ナットや十角ナットなどであってもよい。なお、これら多角ナットは袋ナットとも呼ばれる。
【００２３】
ロックリング２３は、八角ナット２２と内筒部１１ａとの間に配置され、八角ナット２２がねじ部２１ｂと螺合することで内筒部１１ａの外壁を挟装する機能を有する。従って、挟装構造は、ねじ部２１ｂと八角ナット２２とロックリング２３により構成される。
【００２４】
この実施の形態のワン型排水トラップ用配管接続装置によれば、継手２を内筒部１１ａに差し込み、継手下部に設けられた八角ナット２２を螺合することで、内筒部１１ａの外壁を挟装でき、連結部２１ａにより更生工事施工用のホース配管４を継手２に連結できる。
【００２５】
［ワン型排水トラップ用配管接続治具の説明］
次に、この実施の形態の排水トラップ用配管接続治具を説明する。
すなわち、ワン型排水トラップ用配管接続治具は、図３及び図４に示すように、前記挟装構造の八角ナット２２を回転させることで内筒部１１ａの外壁と螺合させ、あるいは内
筒部１１ａの外壁から離脱させる治具３である。
【００２６】
治具３は、継手２（図１及び図２参照）を上部より挿入する中空円筒形状を有する治具本体（円筒部）３１と、治具本体３１の下部に設けられ、八角ナット２２を把持する爪部３２と、治具本体３１の上部に設けられ、治具本体３１を軸中心に回転させるハンドル３３（図３（ａ）参照）と、を備えている。
【００２７】
治具本体（円筒部）３１は、その内径が八角ナット（袋ナット）２２の上部に収納可能な寸法に形成されている。
【００２８】
爪部３２は、図３（ｃ）及び図４（ｂ）に示すように、継手２の袋ナット（めねじ）２２を回すため、円筒部３１の円周外側に沿って６個配置されている。そして、その配置は、図５に示すように、八角ナット２２の向かい合う１つの二面と係合するように２個配置され、その二面の十字方向にある１つの対角を係合するように４個配置されている。この６個の爪部３２により、八角ナット２２の外周面を把持している。すなわち、爪部３２は、２個を一組として袋ナット２２のコーナー（対角）に合うように加工し、残りの２個の爪部３２は長辺部分（二面）を挟む形に形成されている。
【００２９】
また、取り付けに際しては、まず、継手２の袋ナット２２を緩めておき、ワン型排水トラップ１の目皿１７と、ワン１２部分を取り外し、トラップ中央の内筒部１１ａに差し込み、ついで、袋ナット２２を取り囲むように治具３を差し込み、ハンドル３３回転させて締め付ける。これにより、ワン型排水トラップ１の管端部に確実に取り付けることが可能になった。更に、外す時は、袋ナット２２を緩めることで継手２を抜き出すことができる。
【００３０】
このように、この実施の形態のワン型排水トラップ用配管接続治具によれば、内筒部１１ａと外筒部１１ｂとの狭い空間の中で、爪部３２により八角ナット２２を確実に把持でき、ハンドル３３を用いて治具本体３１を軸中心に回転させることで、八角ナット２２を容易に回転させることができる。
【００３１】
なお、この実施の形態のワン型排水トラップ用配管接続治具では、爪部３２を、八角ナット２２の二面と対角とを組み合わせて八角ナット２２と係合するように配置した場合で説明したが、本発明は、前述の実施の形態の配置に限定されるものではなく、多角ナットの二面のみを複数箇所係合するように配置した場合も、多角ナットのコーナー（対角）のみを複数箇所係合するように配置した場合も含まれる。
【図面の簡単な説明】
【００３２】
【図１】本発明のワン型排水トラップ用配管接続装置及び配管接続治具の外形側面図である。
【図２】本発明のワン型排水トラップ用配管接続装置に用いる継手の外形図である。
【図３】本発明のワン型排水トラップ用配管接続治具の外形図である。
【図４】本発明のワン型排水トラップ用配管接続治具の外形図であり、図３に示す配管接続治具の側面方向から見た図を示す。
【図５】配管接続治具を用いて継手を組み付ける際の説明図である。
【図６】ワン型排水トラップの外形図である。
【図７】排水トラップにネジ接合部材を接続する従来の方法の説明図である。
【符号の説明】
【００３３】
１    ワン型排水トラップ
２    継手
３    配管接続治具（治具）
４    ホース配管（配管）
１１  本体
１１ａ  内筒部
１１ｂ  外筒部
１１ｃ  鍔部
１２  ワン（椀）
１３  ジョイント
１４  枠
１５  割りリング
１６  止めビス
１７  目皿
２１  継手本体
２２  ナット（八角ナット）
２３  ロックリング
２４  パッキン
２５  ワッシャ
３１  円筒部
３２  把持部（爪）
３３  ハンドル
【図１】
2006097401.tif 000003
【図２】
2006097401.tif 000004
【図３】
2006097401.tif 000005
【図４】
2006097401.tif 000006
【図５】
2006097401.tif 000007
【図６】
2006097401.tif 000008
【図７】
2006097401.tif 000009